(57)【要約】【課題】３方向以上の複数方向から異なった画像が同時に観察可能な画像表示装置を提供する。【解決手段】視認方向に応じて異なるｎ種類（ｎ≧３）の画像を表示する画像表示装置である。前記ｎ種類の画像を表示する画像表示部と、前記ｎ種類の画像の視認方向を制御する視認方向制御部と、を備える。【選択図】図１
2008089635.tif 000002
【特許請求の範囲】
【請求項１】
視認方向に応じて異なるｎ種類（ｎ≧３）の画像を表示する画像表示装置であって、
前記ｎ種類の画像を表示する画像表示部と、
前記ｎ種類の画像の視認方向を制御する視認方向制御部と、
を備えることを特徴とする画像表示装置。
【請求項２】
請求項１記載の画像表示装置であって、
前記視認方向制御部は、前記画像表示部の水平方向に沿って並ぶｎ列の画素列を１つの組とし、各組のｎ列の画素列のうち、いずれか一つの画素列に対応する位置に開口部が設けられた遮光パターンを有するバリアによって構成される
ことを特徴とする画像表示装置。
【請求項３】
請求項１記載の画像表示装置であって、
前記ｎ種類の画像は、それぞれｍ色（ｍ≧１）の画像情報を有しており、
前記視認方向制御部は、前記画像表示部の水平方向および垂直方向に沿って並ぶｍ×ｎ画素を１つの組とし、各組のｍ×ｎ画素のうち、各行についてそれぞれ１つ、かつ、ｎ列中のいずれかｍ列の各列についてそれぞれ１つ選択されたｍ個の画素の位置に開口部が設けられた遮光パターンを有するバリアによって構成される
ことを特徴とする画像表示装置。
【請求項４】
請求項１記載の画像表示装置であって、
前記視認方向制御部は、前記画像表示部の水平方向に沿って並ぶｎ列の画素列を１組とし、各組ごとに、水平方向に沿って曲面を有し、垂直方向に沿って長い蒲鉾状のシリンドリカルレンズを有するレンチキュラレンズによって構成される
ことを特徴とする画像表示装置。
【請求項５】
請求項１記載の画像表示装置であって、
前記ｎ種類の画像は、それぞれｍ色（ｍ≧１）の画像情報を有しており、
前記視認方向制御部は、前記画像表示部の水平方向および垂直方向に沿って並ぶｍ×ｎ画素を１つの組とし、各組のｍ×ｎ画素のうち、各行についてそれぞれ１つ、かつ、ｎ列中のいずれかｍ列の各列についてそれぞれ１つ選択されたｍ個の画素の位置がレンズ中心となるようにシリンドリカルレンズが設けられたレンチキュラレンズによって構成される
ことを特徴とする画像表示装置。
【請求項６】
視認方向に応じて異なるｎ種類（ｎ≧３）の画像を表示する画像表示装置であって、
前記ｎ種類の画像を順に表示する画像表示部と、
前記ｎ種類の画像のうちいずれの画像が前記画像表示部で表示されているかに応じて、前記画像表示部を照明する照明光の進行方向を制御することにより、前記画像表示部で表示されている画像の視認方向を制御する視認方向制御部と、
を備えることを特徴とする画像表示装置。
【請求項７】
請求項６記載の画像表示装置であって、
前記視認方向制御部は、
前記画像表示部の水平方向に沿って並ぶｎ列の画素列を１組とし、各組ごとに、それぞれ、前記ｎ列の画素列に対応するｎ列の照明制御部を備え、前記ｎ列の照明制御部のうち、前記画像表示部で表示されている画像に応じて、対応する列の照明制御部から照明光を射出する照明制御装置と、
前記照明制御装置から射出される照明光の進行方向を制御するレンズと、
を備えることを特徴とする画像表示装置。
【発明の詳細な説明】
【技術分野】
【０００１】
本発明は、複数の画像を同時に表示する画像表示装置に関する。
【背景技術】
【０００２】
１台の画像表示の画面全体を異なる方向から観察することにより、２つの異なる画像を同時に観察することができる画像表示装置の開発が進んでおり（例えば、特許文献１参照。）、車載用ナビゲーションシステムのための画像表示装置や、対戦型ゲームのための画像表示装置等への適用が期待されている。
【０００３】
【特許文献１】特許第３１８４０６９号公報
【発明の開示】
【発明が解決しようとする課題】
【０００４】
ここで、例えば、車載用ナビゲーションシステムのための画像表示装置は、運転席側(画面に向かって右側)、助手席側(画面に向かって左側)、および、後部座席側(画面に向かってほぼ中央)の３方向から異なった画像が観察可能であることが好ましい。
【０００５】
しかしながら、上述したように、２方向から異なった２つの画像が同時に観察可能な画像表示装置は従来から知られているが、３方向以上の複数方向から異なった画像が同時に観察可能な画像表示装置は、まだ、存在していない。
【０００６】
本発明は、従来技術における上述の課題を解決するためになされたものであり、３方向以上の複数方向から異なった画像が同時に観察可能な画像表示装置を提供することを目的とする。
【課題を解決するための手段】
【０００７】
上述の課題の少なくとも一部を解決するために、本発明の態様は、
視認方向に応じて異なるｎ種類（ｎ≧３）の画像を表示する画像表示装置であって、
前記ｎ種類の画像を表示する画像表示部と、
前記ｎ種類の画像の視認方向を制御する視認方向制御部と、
を備えることを特徴とする。
【０００８】
上記画像表示装置において、
前記ｎ種類の画像は、それぞれｍ色（ｍ≧１）の画像情報を有しており、
前記視認方向制御部は、前記画像表示部の水平方向および垂直方向に沿って並ぶｍ×ｎ画素を１つの組とし、各組のｍ×ｎ画素のうち、各行についてそれぞれ１つ、かつ、ｎ列中のいずれかｍ列の各列についてそれぞれ１つ選択されたｍ個の画素の位置に開口部が設けられた遮光パターンを有するバリアによって構成されるようにしてもよい。
【０００９】
また、前記視認方向制御部は、前記画像表示部の水平方向に沿って並ぶｎ列の画素列を１組とし、各組ごとに、水平方向に沿って曲面を有し、垂直方向に沿って長い蒲鉾状のシリンドリカルレンズを有するレンチキュラレンズによって構成されるようにしてもよい。
【００１０】
さらに、前記ｎ種類の画像は、それぞれｍ色（ｍ≧１）の画像情報を有しており、
前記視認方向制御部は、前記画像表示部の水平方向および垂直方向に沿って並ぶｍ×ｎ画素を１つの組とし、各組のｍ×ｎ画素のうち、各行についてそれぞれ１つ、かつ、ｎ列中のいずれかｍ列の各列についてそれぞれ１つ選択されたｍ個の画素の位置がレンズ中心となるようにシリンドリカルレンズが設けられたレンチキュラレンズによって構成されるようにしてもよい。
【００１１】
上記構成の画像表示装置によれば、３方向以上の複数方向から異なった画像が同時に観察可能な画像表示装置を構成することができる。
【００１２】
また、本発明の他の態様は、
視認方向に応じて異なるｎ種類（ｎ≧３）の画像を表示する画像表示装置であって、
前記ｎ種類の画像を順に表示する画像表示部と、
前記ｎ種類の画像のうちいずれの画像が前記画像表示部で表示されているかに応じて、前記画像表示部を照明する照明光の進行方向を制御することにより、前記画像表示部で表示されている画像の視認方向を制御する視認方向制御部と、
を備えることを特徴とする。
【００１３】
上記画像表示装置によっても、３方向以上の複数方向から異なった画像が同時に観察可能な画像表示装置を構成することができる。
【００１４】
ここで、前記視認方向制御部は、
前記画像表示部の水平方向に沿って並ぶｎ列の画素列を１組とし、各組ごとに、それぞれ、前記ｎ列の画素列に対応するｎ列の照明制御部を備え、前記ｎ列の照明制御部のうち、前記画像表示部で表示されている画像に応じて、対応する列の照明制御部から照明光を射出する照明制御装置と、
前記照明制御装置から射出される照明光の進行方向を制御するレンズと、
を備えることが好ましい。
【００１５】
このようにすれば、視認方向制御部を容易に構成することができる。
【発明を実施するための最良の形態】
【００１６】
以下、本発明の実施の形態を実施例に基づいて以下の順序で説明する。
Ａ．第１実施例：
Ａ１．画像表示装置の構成：
Ａ２．画像表示動作：
Ａ３．変形例：
Ｂ．第２実施例：
Ｂ１．画像表示装置の構成：
Ｂ１．画像表示動作：
Ｂ２．変形例：
Ｃ．第３実施例：
Ｃ１．画像表示装置の構成：
Ｃ２．変形例：
Ｄ．第４実施例：
Ｄ１．画像表示装置の構成：
Ｄ２．変形例：
Ｅ．第５実施例：
Ｅ１．画像表示装置の構成：
Ｅ２．変形例：
【００１７】
Ａ．第１実施例：
Ａ１．画像表示装置の構成：
図１は、本発明の第１実施例としての画像表示装置１０の概略構成を示す説明図である。この画像表示装置１０は、画像表示部として配置されたカラー表示可能な液晶ディスプレイパネル（以下、「ＬＣＤ」と略す。）２０と、ＬＣＤ２０の背面に配置されたバックライト（以下、「ＢＬ」と略す。）３０と、視認方向制御部としてＬＣＤ２０の前面に配置されたパララックスバリアの機能を有するストライプバリア４０と、ＬＣＤ２０を制御するコントローラ５０と、を備えている。なお、図１は、この画像表示装置１０を上側から見た図であり、ＬＣＤ２０の水平方向（紙面横方向）に沿った１行目の画素について示している。
【００１８】
ＬＣＤ２０の水平方向および垂直方向に並ぶ各画素は、後述するように、垂直方向に沿って並ぶ画素の列（以下、「画素列」と呼ぶ。）のうち、水平方向に沿って並ぶ３列の画素列を１つの組Ｂｃとし、各組Ｂｃの３列の画素列が、それぞれ画素列ごとに、３種類の異なる画像Ａ，Ｂ，Ｃを表示するための３種類の表示画素Ｐａの列，表示画素Ｐｂの列，表示画素Ｐｃの列に割り当てられている。
【００１９】
コントローラ５０は、入力される３種類の画像Ａ，画像Ｂ，画像Ｃを表す画像データに基づいて、画像Ａ，画像Ｂ，画像Ｃを表す画像データが、それぞれ対応する表示画素Ｐａ，Ｐｂ，Ｐｃに入力されるように、画像データを生成し、ＬＣＤ２０に入力する。
【００２０】
ストライプバリア４０は、水平方向に沿って遮光部４２と開口部４４とが設けられている。開口部４４は、各画素列の組Ｂｃに１つの割合で設けられるが、具体的な配置位置および配置間隔は、ＬＣＤ２０の画素のサイズや３つの画像Ａ，Ｂ，Ｃの適視位置等によって適宜決定されるものである。図１では、ＬＣＤ２０の正面方向の位置、すなわち、ＬＣＤ２０の画素が配列されている面の中心を通り、その面に垂直な中心線（一点鎖線で示す）上の位置に、画像Ｂの適視位置が設定されており、ＬＣＤ２０に向かって斜め右方向の位置に画像Ａの適視位置が設定されており、ＬＣＤ２０に向かって斜め左方向に画像Ｃの適視位置が設定されている例を示している。この例の場合、ストライプバリア４０の開口部４４は、後述するように、表示画素Ｐｂの列のほぼ前面位置に設けられる。但し、中心線から左右方向に離れた位置にある表示画素Ｐｂの列から射出される光を、画像Ｂの適視位置に導く必要があるので、開口部４４の配置間隔は、その位置に応じて、表示画素Ｐｂの列の配置間隔よりも若干小さい間隔に設定される。なお、適視位置は、設計上、対応する画像を視認できる最適位置を意味しており、適視範囲は、適視位置を中心とし、対応する画像を視認できる範囲を意味している。また、適視範囲の境界では両方の画像を視認することができる。
【００２１】
本実施例の画像表示装置１０では、表示画素Ｐａの列から射出される光のうち、開口部４４を通過する光のみが、画像Ａの適視位置を中心とする適視範囲にのみ導かれる。また、表示画素Ｐｂの列から射出される光のうち、開口部４４を通過する光のみが、画像Ｂの適視位置を中心とする適視範囲にのみ導かれる。さらに、表示画素Ｐｃの列から射出される光のうち、開口部４４を通過する光のみが、画像Ｃの適視位置を中心とする適視範囲にのみ導かれる。これにより、画像Ａの適視範囲にいる観察者のみが、各表示画素Ｐａで表示される画像Ａを視認することができ、画像Ｂの適視範囲にいる観察者のみが、各表示画素Ｐｂで表示される画像Ｂを視認することができ、画像Ｃの適視範囲にいる観察者のみが、各表示画素Ｐｃで表示される画像Ｃを視認することができる。なお、３箇所の適視範囲で視認される３種類の画像については、さらに、以下で説明する。
【００２２】
Ａ２．画像表示動作：
図２は、３箇所の適視範囲で視認される３種類の画像について示す説明図である。
【００２３】
上述したストライプバリア４０は、図２（Ｃ）に示すように、ＬＣＤ２０の垂直方向に沿って並ぶ画素列のうち、水平方向に順に並ぶ３列の画素列を１つの組Ｂｃとし、各組Ｂｃごとに、２列目の画素列に対応する位置に開口部４４が設けられ、他の画素列に対応する位置に遮光部４２が設けられることにより、開口部４４がストライプ状に配列された遮光パターンを有している。
【００２４】
また、カラー表示可能なＬＣＤ２０には、図２（Ａ）に示すように、ＬＣＤ２０の水平方向に沿って並ぶ画素の行（以下、「画素行」とも呼ぶ。）に対応する位置に、赤（Ｒ），緑（Ｇ），青（Ｂ）のカラーフィルタが順に繰り返し設けられている。
【００２５】
さらに、ＬＣＤ２０の各画素には、画素列の組Ｂｃごとに、図２（Ｂ）に示すように、１列目の画素列が画像Ａを表示するための表示画素Ｐａの列に割り当てられ、２列目の画素列が画像Ｂを表示するための表示画素Ｐｂの列に割り当てられ、３列目の画素列が画像Ｃを表示するための表示画素Ｐｃの列に割り当てられることにより、３種類の画像Ａ，Ｂ，Ｃを表示するための表示画素Ｐａ，Ｐｂ，Ｐｃが割り当てられている。
【００２６】
また、ＬＣＤ２０の各画素には、図２（Ｂ）に示すように、画像Ａを表示するための各表示画素Ｐａのうち、Ｒフィルタに対応する画素には画像Ａを構成するＲの画像データが入力され、Ｇフィルタに対応する画素には画像Ｂを構成するＧの画像データが入力され、Ｂフィルタに対応する画素には画像Ａを構成するＢの画像データが入力される。同様に、画像Ｂを表示するための各表示画素Ｐｂには、画像Ｂを構成する画像データが入力され、画像Ｃを表示するための各表示画素Ｐｃには、画像Ｃを構成する画像データが入力される。
【００２７】
このとき、画像Ａの適視位置では、図２（Ｄ）に示すように、ＬＣＤ２０のストライプ状に割り当てられた表示画素Ｐａの列によって表示される画像Ａのみが視認される。画像Ｂの適視位置では、図２（Ｅ）に示すように、ＬＣＤ２０のストライプ状に割り当てられた表示画素Ｐｂの列によって表示される画像Ｂのみが視認される。画像Ｃの適視位置では、図２（Ｆ）に示すように、ＬＣＤ２０のストライプ状に割り当てられた表示画素Ｐｃの列によって表示される画像Ｃのみが視認される。なお、各画像の適視位置で視認されるカラー画像の１画素は、垂直方向および水平方向に並ぶ３×３画素のうち、垂直方向に沿って並ぶ１列目のＲ，Ｇ，Ｂ３色の画素（以下、各色の画素を「絵素」とも呼ぶ。）〜３列目のＲ，Ｇ，Ｂ３色の絵素のいずれかによって構成される。
【００２８】
以上説明したように、パララックスバリアの機能を有するストライプバリアを視認方向制御部として用いた本実施例の画像表示装置１０では、画像表示部として用いたＬＣＤに同時に表示される３種類の異なる画像Ａ，Ｂ，Ｃを、それぞれの画像の適視位置を中心とする適視範囲における観察者によって、同時に視認することが可能となる。
【００２９】
Ａ３．変形例：
Ａ３．１．変形例１：
なお、上記実施例では、図２（ｃ）に示すように、ＬＣＤ２０の各組Ｂｃの３列の画素列のうち、２列目の画素列に対応する位置に開口部４４を設けて、開口部４４と遮光部４２とが交互にストライプ状に配列された遮光パターンとしたストライプバリア４０を用いた場合を例に示したが、これに限定されるものではなく、以下で示すようにしてもよい。
【００３０】
例えば、図３（Ａ）に示すように、１列目の画素列に対応する位置に開口部４４を設けることにより、開口部４４と遮光部４２とが交互にストライプ状に配列された遮光パターンを有するストライプバリア４０Ｖ１を用いてもよい。また、図３（Ｂ）に示すように、３列目の画素列に対応する位置に開口部４４を設けることにより、開口部４４と遮光部４２とが交互にストライプ状に配列された遮光パターンを有するストライプバリア４０Ｖ２を用いてもよい。
【００３１】
Ａ３．２．変形例２：
また、上記実施例では、３種類の異なる画像を同時に表示する場合を例に説明したが、これに限定されるものではなく、４種類以上の異なる画像を同時に表示することも可能である。
【００３２】
ここで、４種類の異なる画像を同時に表示する場合には、ＬＣＤの水平方向に沿って並ぶ４列の画素列を１つの組とし、各組の４列の画素列を、それぞれ画素列ごとに、４種類の異なる画像を表示するための表示画素の列に割りてることとし、また、ＬＣＤの各組の４列の画素列のうちいずれか一つの画素列に対応する位置に開口部が設けられた遮光パターンを有するストライプバリアを用いるようにすればよい。
【００３３】
すなわち、ｎ種類（ｎは３以上の整数）の異なる画像を同時に表示する場合には、ＬＣＤの水平方向に沿って並ぶｎ列の画素列を１つの組とし、各組のｎ列の画素列を、それぞれ画素列ごとに、ｎ種類の異なる画像を表示するための画素の列に割り当てることとし、また、ＬＣＤの各組のｎ列の画素列のうちいずれか一つの画素列に対応する位置に開口部が設けられた遮光パターンを有するストライプバリアを用いるようにすればよい。
【００３４】
Ａ３．３．変形例３：
上記実施例では、ＬＣＤのカラーフィルタとして、図２（Ａ）に示すように、ＬＣＤ２０の水平方向に沿って並ぶ画素行に対応する位置に、Ｒ，Ｇ，Ｂのカラーフィルタが順に繰り返し設けられている場合を例として説明したが、一般的なＬＣＤのように、ＬＣＤ２０の垂直方向に沿って並ぶ画素列ごとに、Ｒ，Ｇ，Ｂのカラーフィルタが順に繰り返し設けられているものであってもよい。ただし、この構成において、３種類の異なる画像を表示する場合には、それぞれの画像は、互いに異なるいずれか一色の色の画像に限定されるという制約が発生する。
【００３５】
Ａ３．４．変形例４：
本実施例では、表示部としてＬＣＤを用いた場合を例に説明しているが、ＬＣＤに限定されるものではなく、ＰＤＰ（プラズマディスプレイ）、ＥＬ(電解発光ディスプレイ)、ＬＥＤ（発光ダイオードディスプレイ）、ＦＥＤ（冷陰極電子放出ディスプレイ）、ＦＣＲＴ（フラットＣＲＴ）等の種々のフラットパネルディスプレイを用いることができる。
【００３６】
Ｂ．第２実施例：
Ｂ１．画像表示装置の構成：
図４は本発明の第２実施例としての画像表示装置１０Ｂの概略構成を示す説明図である。この画像表示装置１０Ｂは、第１実施例の画像表示装置１０と同様に、画像表示部としてのＬＣＤ２０Ｂと、ＬＣＤ２０Ｂの背面に配置されたＢＬ３０と、視認方向制御部としてＬＣＤ２０Ｂの前面に配置されたパララックスバリアの機能を有するステップバリア４０Ｂと、ＬＣＤ２０Ｂを制御するコントローラ５０Ｂと、を備えている。本実施例の画像表示装置１０Ｂは、第１実施例におけるストライプバリア４０をステップバリア４０Ｂに置き換えた点、この置き換えに応じて、ＬＣＤ２０をＬＣＤ２０Ｂに置き換えた点、および、コントローラ５０をコントローラ５０Ｂに置き換えた点が、第１実施例の画像表示装置１０と異なっている点である。ただし、各構成要素の基本的な機能については、第１実施例と同じであるので、以下では、異なっている点についてのみ説明を加える。
【００３７】
Ｂ２．画像表示動作：
図５は、３箇所の適視範囲で視認される３種類の画像について示す説明図である。
【００３８】
ステップバリア４０Ｂは、図５（Ｃ）に示すように、ＬＣＤ２０の水平方向および垂直方向に並ぶ３×３の画素を１つの組Ｂｔとし、各組Ｂｔごとに、１行目は２列目の画素に対応する位置に開口部４４Ｂを設け、２行目は３列目の画素に対応する位置に開口部４４Ｂを設け、３行目は１列目の画素に対応する位置に開口部４４Ｂを設けることにより、開口部４４Ｂが各行で１つ、かつ、各列で１つとなるような遮光パターンを有しているものとする。
【００３９】
また、カラー表示可能なＬＣＤ２０Ｂには、図２（Ａ）に示したＬＣＤ２０のカラーフィルタとは違い、図５（Ａ）に示すように、ＬＣＤ２０Ｂの垂直方向に沿って並ぶ画素列ごとに、Ｒ，Ｇ，Ｂのカラーフィルタが順に繰り返し設けられているものとする。
【００４０】
さらに、ＬＣＤ２０Ｂの各画素には、図５（Ｂ）に示すように、画素の各組Ｂｔごとに、１行目の３列の画素が表示画素Ｐａ、表示画素Ｐｂ、表示画素Ｐｃの順に割り当てられ、２行目の３列の画素が表示画素Ｐｃ、表示画素Ｐａ、表示画素Ｐｂの順に割り当てられ、３行目の３列の画素が表示画素Ｐｂ，表示画素Ｐｃ，表示画素Ｐａの順に割り当てられることにより、３種類の画像Ａ，Ｂ．Ｃを表示するための表示画素Ｐａ，Ｐｂ，Ｐｃが割り当てられている。これにより、ＬＣＤ２０Ｂの各画素のうち隣り合う画素同士が同じ画像を表示するための表示画素とならないように、ＬＣＤ２０Ｂの各画素には、同じ画像を表示するための表示画素が、行および列ごとにずれて割り当てられている。
【００４１】
また、ＬＣＤ２０Ｂの各画素には、図５（Ｂ）に示すように、画像Ａを表示するための各表示画素Ｐａのうち、Ｒフィルタに対応する画素には画像Ａを構成するＲの画像データが入力され、Ｇフィルタに対応する画素には画像Ｂを構成するＧの画像データが入力され、Ｂフィルタに対応する画素には画像Ａを構成するＢの画像データが入力される。同様に、画像Ｂを表示するための各表示画素Ｐｂには、画像Ｂを構成する画像データが入力され、画像Ｃを表示するための各表示画素Ｐｃには、画像Ｃを構成する画像データが入力される。
【００４２】
このとき、画像Ａの適視位置では、図４（Ｄ）に示すように、ＬＣＤ２０Ｂに割り当てられた各表示画素Ｐａによって表示される画像Ａのみが視認される。画像Ｂの適視位置では、図４（Ｅ）に示すように、ＬＣＤ２０Ｂに割り当てられた各表示画素Ｐｂによって表示される画像Ｂのみが視認される。画像Ｃの適視位置では、図４（Ｆ）に示すように、ＬＣＤ２０Ｂに割り当てられた各表示画素Ｐｃによって表示される画像Ｃのみが視認される。なお、各画像の適視位置で視認されるカラー画像の１画素は、垂直方向および水平方向に並ぶ３×３画素（絵素）のうち、Ｒに対応する１絵素として表示されるある１つの絵素と、Ｒの絵素として表示される絵素とは異なる行および列の絵素であって、Ｇに対応する絵素として表示されるある１つの絵素と、Ｒの絵素として表示される絵素およびＧの絵素として表示される絵素とは異なる行および列の絵素であって、Ｂに対応する絵素として表示されるある１つの絵素と、によって構成される。
【００４３】
以上説明したように、パララックスバリアの機能を有するステップバリアを視認方向制御部として用いた本実施例の画像表示装置１０Ｂにおいても、第１実施例の場合と同様に、３種類の異なる画像Ａ，Ｂ，Ｃを、それぞれの画像の適視位置を中心とする適視範囲における観察者によって、同時に視認することが可能となる。
【００４４】
ところで、ストライプバリアによる第１実施例の場合には、例えば、図２（Ｄ）に示すように、画像Ａの１画素を、垂直方向および水平方向に並ぶ３×３絵素のうち、垂直方向に沿った１列の３絵素、すなわち、１行１列目のＲに対応する絵素と、２行１列目のＧに対応する絵素と、３行１列目のＢに対応する絵素とによって構成しており、３×３絵素のうち、垂直方向に並ぶ偏った３つの絵素により１画素を構成していることになる。
【００４５】
一方、ステップバリアによる本実施例の場合には、例えば、図４（Ｄ）に示すように、画像Ａの１画素を、垂直方向および水平方向に並ぶ３×３絵素のうち、１行１列目のＲに対応する絵素と、２行２列目のＧに対応する絵素と、３行３列目のＢに対応する絵素と、によって構成しており、３×３絵素のうち、水平方向にも垂直方向にもバランスよく配置されたＲ，Ｇ，Ｂの３つの絵素により１画素を構成している。これにより、ステップバリアによる場合の方が、垂直方向および水平方向に並ぶストライプバリアによる場合よりも、表示する画像の画質を向上させることが可能である。
【００４６】
Ｂ２．変形例：
Ｂ２．１．変形例１：
なお、上記実施例では、図５（Ｃ）に示すように、ＬＣＤ２０Ｂの水平方向および垂直方向に並ぶ３×３画素を１つの組Ｂｔとし、各組Ｂｔの３×３画素のうち、１行目は２列目の画素に対応する位置に開口部４４を設け、２行目は３列目の画素に対応する位置に開口部４４Ｂを設け、３行目は１列目の画素に対応する位置に開口部４４Ｂを設けることにより、開口部４４Ｂが各行について１つ、かつ、各列について１つとなるような遮光パターンとしたステップバリア４０Ｂを用いた場合を例に示したが、これに限定されるものではなく、以下で示すようにしてもよい。
【００４７】
例えば、図６（Ａ）に示すように、ＬＣＤ２０Ｂの水平方向および垂直方向に並ぶ３×３画素を１つの組Ｂｃとし、各組Ｂｔの３×３画素のうち、１行目は２列目の画素に対応する位置に開口部４４Ｂを設け、２行目は１列目の画素に対応する位置に開口部４４Ｂを設け、３行目は３列目の画素に対応する位置に開口部４４Ｂを設けた遮光パターンを有するステップバリア４０ＢＶ１を用いてもよい。また、図６（Ｂ）に示すように、１行目は３列目の画素に対応する位置に開口部４４Ｂを設け、２行目は１列目の画素に対応する位置に開口部４４Ｂを設け、３行目は２列目の画素に対応する位置に開口部を設けた遮光パターンを有するステップバリア４０ＢＶ２を用いてもよい。さらに、図６（Ｃ）に示すように、１行目は３列目の画素に対応する位置に開口部４４Ｂを設け、２行目は２列目の画素に対応する位置に開口部４４Ｂを設け、３行目は１列目の画素に対応する位置に開口部４４Ｂを設け遮光パターンを有するステップバリア４０ＢＶ３を用いてもよい。さらにまた、図６（Ｄ）に示すように、１行目は１列目の画素に対応する位置に開口部４４Ｂを設け、２行目は２列目の画素に対応する位置に開口部４４Ｂを設け、３行目は３列目の画素に対応する位置に開口部４４Ｂを設けた遮光パターンを有するステップバリア４０ＢＶ４を用いてもよい。また、図６（Ｅ）に示すように、１行目は１列目の画素に対応する位置に開口部４４Ｂを設け、２行目は３列目の画素に対応する位置に開口部４４Ｂを設け、３行目は２列目の画素に対応する位置に開口部４４Ｂを設けた遮光パターンを有するステップバリア４０ＢＶ５を用いてもよい。
【００４８】
すなわち、ＬＣＤ２０Ｂの水平方向および垂直方向に並ぶ３×３画素を１つの組Ｂｔとし、各組Ｂｔの３×３画素のうち、各行について１つ、かつ、各列について１つ選択された３個の画素の位置に開口部４４Ｂが設けられた遮光パターンを有するステップバリアを用いることができる。
【００４９】
Ｂ２．２．変形例２：
また、上記実施例では、Ｒ，Ｇ，Ｂ３色の画像情報（画像データ）を有する３種類の異なる画像を同時に表示する場合を例に説明したが、これに限定されるものではなく、４種類以上の異なる画像を同時に表示することも可能である。
【００５０】
ここで、Ｒ，Ｇ，Ｂ３色の画像情報を有する４種類の異なる画像を同時に表示する場合には、ＬＣＤの水平方向および垂直方向に沿って並ぶ３×４画素を１つの組とし、各組の３×４画素を、４種類の異なる画像を表示するための４種類の表示画素に割り当てるとともに、隣り合う画素同士が同じ表示画素とならないように割り当てることとし、また、ＬＣＤの水平方向および垂直方向に並ぶ３×４画素を１つの組とし、各組の３×４画素のうち、各行についてそれぞれ１つ、かつ、４列中の３列の各列についてそれぞれ１つ選択された３個の画素の位置に開口部が設けられた遮光パターンを有するステップバリアを用いるようにすればよい。
【００５１】
すなわち、ｍ色（ｍは１以上の整数）の画像情報を有するｎ種類（ｎは３以上の整数）の異なる画像を同時に表示する場合には、ＬＣＤの水平方向および垂直方向に沿って並ぶｍ×ｎ画素を１つの組とし、各組のｍ×ｎ画素を、ｎ種類の異なる画像を表示するためのｎ種類の表示画素に割り当てるとともに、隣り合う画素同士が同じ表示画素とならないように割り当てることとし、また、ＬＣＤの水平方向および垂直方向に並ぶｍ×ｎ画素を１つの組とし、各組のｍ×ｎ画素のうち、各行についてそれぞれ１つ、かつ、ｎ列中のいずれかｍ列の各列についてそれぞれ１つ選択されたｍ個の画素の位置に開口部が設けられた遮光パターンを有するステップバリアを用いるようにすればよい。
【００５２】
Ｂ２．３．変形例３：
本実施例では、表示部としてＬＣＤを用いた場合を例に説明しているが、ＬＣＤに限定されるものではなく、ＰＤＰ、ＥＬ、ＬＥＤ、ＦＥＤ、ＦＣＲＴ等の種々のフラットパネルディスプレイを用いることができる。
【００５３】
Ｃ．第３実施例：
Ｃ１．画像表示装置の構成：
図７は、本発明の第３実施例としての画像表示装置の概略構成を示す説明図である。この画像表示装置１０Ｃは、第１実施例の画像表示装置１０において、視認方向制御部として用いたストライプバリア４０を、レンチキュラレンズ４０Ｃに置き換えた構成を有している。
【００５４】
図８は、レンチキュラレンズ４０Ｃの構成を示す説明図である。このレンチキュラレンズ４０Ｃは、ＬＣＤ２０の水平方向に順に並ぶ３列の画素列を１組とし、各組Ｂｃごとに、水平方向に沿って曲面を有し、垂直方向に沿って長い蒲鉾状のシリンドリカルレンズ４４Ｃを設けた構成を有している。
【００５５】
レンチキュラレンズ４０Ｃを用いることにより、表示画素Ｐａから射出される光は、図７に示すように、レンチキュラレンズ４０Ｃによって進行方向が制御され、画像Ａの適視位置を中心とする適視範囲にのみ導かれる。また、表示画素Ｐｂから射出される光は、レンチキュラレンズ４０Ｃによって進行方向が制御され、画像Ｂの適視位置を中心とする適視範囲にのみ導かれる。さらに、表示画素Ｐｃから射出される光は、レンチキュラレンズ４０Ｃによって進行方向が制御され、画像Ｃの適視位置を中心とする適視範囲にのみ導かれる。これにより、本実施例の画像表示装置１０Ｃにおいても、第１実施例の画像表示装置１０と同様に、画像Ａの適視範囲にいる観察者のみが、各表示画素Ｐａで表示される画像Ａを視認することができ、画像Ｂの適視範囲にいる観察者のみが、各表示画素Ｐｂで表示される画像Ｂを視認することができ、画像Ｃの適視範囲にいる観察者のみが、各表示画素Ｐｃで表示される画像Ｃを視認することができる。
【００５６】
Ｃ２．変形例：
Ｃ２．１．変形例１：
上記実施例では、３種類の異なる画像を同時に表示する場合を例に説明したが、これに限定されるものではなく、４種類以上の異なる画像を同時に表示することも可能である。
【００５７】
ここで、４種類以上の異なる画像を同時に表示する場合には、ＬＣＤの水平方向に順に並ぶ４列の画素列を１組とし、各組ごとに、水平方向に沿って曲面を有し、垂直方向に沿って長い蒲鉾状のシリンドリカルレンズを有するレンチキュラレンズを用いるようにすればよい。
【００５８】
すなわち、ｎ種類（ｎは３以上の整数）の異なる画像を同時に表示する場合には、ＬＣＤの水平方向に順に並ぶｎ列の画素列を１組とし、各組ごとに、水平方向に沿って曲面を有し、垂直方向に沿って長い蒲鉾状のシリンドリカルレンズを有するレンチキュラレンズを用いるようにすればよい。
【００５９】
Ｃ２．２．変形例２：
本実施例では、表示部としてＬＣＤを用いた場合を例に説明しているが、ＬＣＤに限定されるものではなく、ＰＤＰ、ＥＬ、ＬＥＤ、ＦＥＤ、ＦＣＲＴ等の種々のフラットパネルディスプレイを用いることができる。
【００６０】
Ｄ．第４実施例：
Ｄ１．画像表示装置の構成：
図９は、本発明の第４実施例としての画像表示装置の概略構成を示す説明図である。この画像表示装置１０Ｄは、第２実施例の画像表示装置１０Ｂにおいて、視認方向制御部として用いたステップバリア４０Ｂを、レンチキュラレンズ４０Ｄに置き換えた構成を有している。
【００６１】
図１０は、レンチキュラレンズ４０Ｄの構成を示す説明図である。このレンチキュラレンズ４０Ｃは、図１０に示すように、ＬＣＤ２０Ｂの水平方向および垂直方向に並ぶＬＣＤ２０Ｂの３×３の画素を１つの組Ｂｔとし、各組Ｂｔの３×３画素のうち、各行について１つ、かつ、各列について１つ選択された３個の画素の位置がレンズ中心となるようにシリンドリカルレンズ４４Ｄが設けられている。
【００６２】
このレンチキュラレンズ４０Ｄを用いることにより、図９に示すように、表示画素Ｐａから射出される光は、レンチキュラレンズ４０Ｄによって進行方向が制御され、画像Ａの適視位置を中心とする適視範囲にのみ導かれる。また、表示画素Ｐｂから射出される光は、レンチキュラレンズ４０Ｄによって進行方向が制御され、画像Ｂの適視位置を中心とする適視範囲にのみ導かれる。さらに、表示画素Ｐｃから射出される光は、レンチキュラレンズ４０Ｄによって進行方向が制御され、画像Ｃの適視位置を中心とする適視範囲にのみ導かれる。これにより、本実施例の画像表示装置１０Ｄにおいても、第２実施例の画像表示装置１０Ｂと同様に、画像Ａの適視範囲にいる観察者のみが、各表示画素Ｐａで表示される画像Ａを視認することができ、画像Ｂの適視範囲にいる観察者のみが、各表示画素Ｐｂで表示される画像Ｂを視認することができ、画像Ｃの適視範囲にいる観察者のみが、各表示画素Ｐｃで表示される画像Ｃを視認することができる。
【００６３】
Ｄ２．変形例：
Ｄ２．１．変形例１：
なお、上記実施例におけるレンチキュラレンズ４０Ｄと同様の機能を有するレンチキュラレンズとして、図１１に示すように、斜め方向に沿って長いシリンドリカルレンズ４４ＤＶ１を設けたレンチキュラレンズ４０ＤＶ１を用いるようにしてもよい。このレンチキュラレンズ４０ＤＶ１は、レンチキュラレンズ４０Ｄを用いた場合に比べて、各適視範囲における３種類の画像の分離性能が低下するものの、実効的には、レンチキュラレンズ４０Ｄと同じ機能を有しており、同様の効果を得ることができる。また、このレンチキュラレンズ４０ＤＶ１は、レンチキュラレンズ４０Ｄに比べて製造が容易である。
【００６４】
Ｄ２．２．変形例２：
また、上記実施例では、Ｒ，Ｇ，Ｂ３色の画像情報（画像データ）を有する３種類の異なる画像を同時に表示する場合を例に説明したが、これに限定されるものではなく、４種類以上の異なる画像を同時に表示することも可能である。
【００６５】
ここで、Ｒ，Ｇ，Ｂ３色の画像情報を有する４種類の異なる画像を同時に表示する場合には、ＬＣＤの水平方向および垂直方向に沿って並ぶ３×４画素を１つの組とし、各組の３×４画素を、４種類の異なる画像を表示するための４種類の表示画素に割り当てるとともに、隣り合う画素同士が同じ表示画素とならないように割り当てることとし、また、ＬＣＤの水平方向および垂直方向に並ぶ３×４画素を１つの組とし、各組の３×４画素のうち、各行についてそれぞれ１つ、かつ、４列中の３列の各列についてそれぞれ１つ選択された３個の画素の位置がレンズ中心となるようにシリンドリカルレンズが設けられたレンチキュラレンズを用いるようにすればよい。
【００６６】
すなわち、ｍ色（ｍは１以上の整数）の画像情報を有するｎ種類（ｎは３以上の整数）の異なる画像を同時に表示する場合には、ＬＣＤの水平方向および垂直方向に沿って並ぶｍ×ｎ画素を１つの組とし、各組のｍ×ｎ画素を、ｎ種類の異なる画像を表示するためのｎ種類の表示画素に割り当てるとともに、隣り合う画素同士が同じ表示画素とならないように割り当てることとし、また、ＬＣＤの水平方向および垂直方向に並ぶｍ×ｎ画素を１つの組とし、各組のｍ×ｎ画素のうち、各行についてそれぞれ１つ、かつ、ｎ列中のいずれかｍ列の各列についてそれぞれ１つ選択されたｍ個の画素の位置がレンズ中心となるようにシリンドリカルレンズが設けられたレンチキュラレンズを用いるようにすればよい。
【００６７】
Ｄ２．３．変形例３：
本実施例では、表示部としてＬＣＤを用いた場合を例に説明しているが、ＬＣＤに限定されるものではなく、ＰＤＰ、ＥＬ、ＬＥＤ、ＦＥＤ、ＦＣＲＴ等の種々のフラットパネルディスプレイを用いることができる。
【００６８】
Ｅ．第５実施例：
Ｅ１．画像表示装置の構成：
図１２は、本発明の第５実施例としての画像表示装置の概略構成を示す説明図である。この画像表示装置１００は、ＬＣＤ２００と、ＬＣＤの背面に配置された照明装置３００と、ＬＣＤ２００および照明装置３００の動作を制御するコントローラ４００と、を備えている。なお、図１は、この画像表示装置１００を上側から見た図であり、ＬＣＤ２００の水平方向（紙面横方向）に沿った１行目の画素について示している。
【００６９】
ＬＣＤ２００は、水平方向および垂直方向にマトリクス状に配列された画素を有し、かつ、図３（Ａ）に示したカラーフィルタと同様のカラーフィルタを有するカラー表示可能な液晶ディスプレイパネルである。このＬＣＤ２００で表示されるカラー画像の１画素は、水平方向に並ぶＲ，Ｇ，Ｂの３画素（絵素）により形成される。
【００７０】
照明装置３００は、ＢＬ３１０と、ＢＬ３００のＬＣＤ２００側の前面に配置された照明制御装置としてのＬＣＤ（以下、「照明制御ＬＣＤ」と呼ぶ。）３２０と、照明制御ＬＣＤ３２０の前面に配置された、照明制御ＬＣＤ３２０から射出された照明光の進行方向を制御するレンズとしてのレンチキュラレンズ３３０と、を備えている。なお、照明制御装置としての照明制御ＬＣＤ３２０と、照明光の進行方向を制御するレンズとしてのレンチキュラレンズ３３０とが、本発明の視認方向制御部に相当する。
【００７１】
照明制御ＬＣＤ３２０には、ＬＣＤ２００と同じ画素配列を有し、モノクロ表示可能なＬＣＤが用いられている。そして、照明制御ＬＣＤ３２０の各画素は、垂直方向に沿って並ぶ画素列のうち、水平方向に並ぶ３列の画素列を１組とし、各組ごとに、１列目の画素列が画像Ａを表示するための照明制御部Ｌａの列に割り当てられ、２列目の画素列が画像Ｂを表示するための照明制御部Ｌｂの列に割り当てられ、３列目の画素列が画像Ｃを表示するための照明制御部Ｌｃの列に割り当てられている。
【００７２】
レンチキュラレンズ３３０は、図８に示すレンチキュラレンズ４０Ｃと同様に、照明制御ＬＣＤ３２０の水平方向に順に並ぶ３列の画素列を１組とし、各組ごとに、水平方向に沿って曲面を有し、垂直方向に沿って長い蒲鉾状のシリンドリカルレンズを設けた構成を有している。
【００７３】
ここで、図１２に示すように、照明装置３００では、照明制御ＬＣＤ３２０の照明制御部Ｌａから射出される光の射出方向を、レンチキュラレンズ３３０によって制御して、画像Ａの適視位置を中心とする適視範囲にのみ導くことができる。また、照明制御部Ｌｂから射出される光の射出方向を、レンチキュラレンズ３３０によって制御して、画像Ｂの適視位置を中心とする適視範囲にのみ導くことができる。さらに、照明制御部Ｌｃから射出される光の射出方向を、レンチキュラレンズ３３０によって制御して、画像Ｃの適視位置を中心とする適視範囲にのみ導くことができる。
【００７４】
従って、ＢＬ３１０から射出された光を、照明制御部Ｌａのみから射出させ、ＬＣＤ２００に対して画像Ａを表す画像データを入力し、ＬＣＤ２００で画像Ａを表示することにより、画像Ａの適視範囲にいる観察者のみが、ＬＣＤ２００で表示される画像Ａを視認することができる。また、ＢＬ３１０から射出された光を、照明制御部Ｌｂのみから射出させ、ＬＣＤ２００に対して画像Ｂを表す画像データを入力し、ＬＣＤ２００で画像Ｂを表示することにより、画像Ｂの適視範囲にいる観察者のみが、ＬＣＤ２００で表示される画像Ｂを視認することができる。さらにまた、照明装置３００のＢＬ３１０から射出された光を、照明制御部Ｌｃのみから射出させ、ＬＣＤ２００に対して画像Ｃを表す画像データを入力し、ＬＣＤ２００で画像Ｃを表示することにより、画像Ｃの適視範囲にいる観察者のみが、ＬＣＤ２００で表示される画像Ｃを視認することができる。
【００７５】
そして、これら画像Ａ，画像Ｂ，画像Ｃの表示動作の切り換えを一定の周期で繰り返して行うことにより、３種類の異なる画像Ａ，Ｂ，Ｃを、それぞれの画像の適視位置を中心とする適視範囲における観察者によって、同時に視認することが可能となる。例えば、通常の画像表示装置にフレーム周波数は６０Ｈｚであるので、その３倍の周波数の１８０Ｈｚで照明制御部Ｌａ，Ｌｂ，Ｌｃの切り換えを行い、これに同期して、ＬＣＤ２００に対して画像Ａの画像データ，画像Ｂの画像データ，画像Ｃの画像データを入力するようにすればよい。なお、照明制御部Ｌａ、Ｌｂ，Ｌｃの切り換えおよびＬＣＤ２００に入力する画像Ａ，Ｂ，Ｃの画像データの切り換え制御は、コントローラ４００によって実行される。
【００７６】
以上説明したように、本実施例の画像表示装置１００においても、３種類の異なる画像Ａ，Ｂ，Ｃを、それぞれの画像の適視位置を中心とする適視範囲における観察者によって、同時に視認することが可能となる。
【００７７】
なお、本実施例の画像表示装置１００は、他の実施例の画像表示装置１０，１０Ｂ，１０Ｃ，１０Ｄに比べて構造は複雑になるものの、画像表示部としてのＬＣＤ２００を構成する全画素で各画像Ａ，Ｂ，Ｃを表示することができるので、解像度の高い画像を表示することが可能となる。
【００７８】
Ｅ２．変形例：
Ｅ２．１．変形例１：
上記実施例では、照明制御ＬＣＤ３２０としてＬＣＤ２００と同じ画素配列を有するモノクロ液晶ディスプレイパネルを用いた場合を例に説明しているが、垂直方向に沿って並ぶ画素列と同じ大きさの画素を水平方向に沿って配列した液晶ディスプレイパネルを用いるようにしてもよい。
【００７９】
Ｅ２．２．変形例２：
また、上記実施例では、３種類の異なる画像を同時に表示する場合を例に説明したが、これに限定されるものではなく、４種類以上の異なる画像を同時に表示することも可能である。
【００８０】
ここで、４種類の異なる画像を同時に表示する場合には、ＬＣＤの水平方向に沿って並ぶ４列の画素列を１つの組とし、各組ごとに、それぞれ、４列の画素列に対応する照明制御ＬＣＤの４列の照明制御部を、それぞれ４種類の異なる画像に対応する照明光を射出する照明制御部として割り当てることとし、各組ごとに、水平方向に沿って曲面を有し、垂直方向に沿って長い蒲鉾状のシリンドリカルレンズを有するレンチキュラレンズを用いるようにすればよい。
【００８１】
すなわち、ｎ種類（ｎは３以上の整数）の異なる画像を同時に表示する場合には、ＬＣＤの水平方向に沿って並ぶｎ列の画素列を１組とし、各組ごとに、それぞれ、ｎ列の画素列に対応する照明制御ＬＣＤのｎ列の照明制御部を、それぞれ、ｎ種類の異なる画像に対応する照明光を射出する照明制御部として割り当てることとし、各組ごとに、水平方向に沿って曲面を有し、垂直方向に沿って長い蒲鉾状のシリンドリカルレンズを有するレンチキュラレンズを用いるようにすればよい。
【００８２】
Ｅ２．３．変形例３：
また、上記実施例では、ＢＬ３１０と照明制御ＬＣＤ３２０とを備える構成としているが、これに限定されるものではなく、例えば、ＢＬを省略し、照明制御ＬＣＤ３２０に換えて、ＰＤＰ、ＥＬ、ＬＥＤ、ＦＥＤ、ＦＣＲＴ等の種々の自発光型のフラットパネルディスプレイを照明制御部として用いるようにしてもよい。
【００８３】
なお、この発明は上記の実施例や実施形態に限られるものではなく、その要旨を逸脱しない範囲において種々の態様において実施することが可能である。
【図面の簡単な説明】
【００８４】
【図１】本発明の第１実施例としての画像表示装置の概略構成を示す説明図である。
【図２】３箇所の適視範囲で視認される３種類の画像について示す説明図である。
【図３】ストライプバリアの変形例を示す説明図である。
【図４】本発明の第２実施例としての画像表示装置の概略構成を示す説明図である。
【図５】３箇所の適視範囲で視認される３種類の画像について示す説明図である。
【図６】ステップバリアの変形例を示す説明図である。
【図７】本発明の第３実施例としての画像表示装置の概略構成を示す説明図である。
【図８】レンチキュラレンズの構成を示す説明図である。
【図９】本発明の第４実施例としての画像表示装置の概略構成を示す説明図である。
【図１０】レンチキュラレンズの構成を示す説明図である。
【図１１】レンチキュラレンズの変形例を示す説明図である。
【図１２】本発明の第５実施例としての画像表示装置の概略構成を示す説明図である。
【符号の説明】
【００８５】
１０…画像表示装置
１０Ｂ…画像表示装置
１０Ｃ…画像表示装置
１０Ｄ…画像表示装置
１００…画像表示装置
２０…ＬＣＤ
２０Ｂ…ＬＣＤ
３０…ＢＬ
４０…ストライプバリア
４０Ｖ１…ストライプバリア
４０Ｖ２…ストライプバリア
４２…遮光部
４４…遮光部
４０Ｂ…ステップバリア
４０ＢＶ１…ステップバリア
４０ＢＶ２…ステップバリア
４０ＢＶ３…ステップバリア
４０ＢＶ４…ステップバリア
４０ＢＶ５…ステップバリア
４２Ｂ…遮光部
４４Ｂ…遮光部
４０Ｃ…レンチキュラレンズ
４４Ｃ…シリンドリカルレンズ
４０Ｄ…レンチキュラレンズ
４４Ｄ…シリンドリカルレンズ
４０ＤＶ１…レンチキュラレンズ
４４ＤＶ１…シリンドリカルレンズ
５０…コントローラ
５０Ｂ…コントローラ
２００…ＬＣＤ
３００…照明装置
３１０…ＢＬ
３２０…照明制御ＬＣＤ
３３０…レンチキュラレンズ
４００…コントローラ
Ｌａ，Ｌｂ，ＬＣ…照明制御部
Ｐａ，Ｐｂ，Ｐｃ…表示画素
【図１】
2008089635.tif 000003
【図２】
2008089635.tif 000004
【図３】
2008089635.tif 000005
【図４】
2008089635.tif 000006
【図５】
2008089635.tif 000007
【図６】
2008089635.tif 000008
【図７】
2008089635.tif 000009
【図８】
2008089635.tif 000010
【図９】
2008089635.tif 000011
【図１０】
2008089635.tif 000012
【図１１】
2008089635.tif 000013
【図１２】
2008089635.tif 000014